(57)【特許請求の範囲】
【請求項１】
１−メチル−２−ニトロ−３−［（３−テトラヒドロフリル）メチル］グアニジンと水とを含有する薬液を、超音波発振器により揮散させることを特徴とする有害節足動物駆除方法。
【請求項２】
薬液中の１−メチル−２−ニトロ−３−［（３−テトラヒドロフリル）メチル］グアニジンの含有量が０．０１〜５重量％であり、水の含有量が７０〜９９重量％である請求項１に記載の有害節足動物駆除方法。
【発明の詳細な説明】
【０００１】
【発明の属する技術分野】
本発明は超音波発振器を用いた有害節足動物駆除方法に関するものである。
【０００２】
【従来の技術】
１−メチル−２−ニトロ−３−［（３−テトラヒドロフリル）メチル］グアニジンは特開平７−１７９４４８号公報及び特開平１０−１３９６０４号公報に、Ｎ−［（クロロ−３−ピリジルメチル）−Ｎ−エチル−Ｎ*−メチル−２−ニトロビニリデンジアミンは特開平２−１７１号公報に、３−［（２−クロロ−５−チアゾリル）メチル］−５−メチル−４−ニトロイミノテトラヒドロ−１，３，５−オキサジアジンは特開平６−１８３９１８号公報に夫々記載の殺虫性化合物であり、その施用方法として、例えば、油剤、乳剤、水和剤、粉剤、粒剤、フロアブル剤、エアゾール剤等を有害害虫に直接あるいは有害昆虫の生息場所に散布し、駆除する方法、ベイト剤を有害昆虫に摂取させ駆除する方法等が、前述の明細書中に記載されている。
【０００３】
【発明が解決しようとする課題】
しかし、かかる方法では、これらの化合物の有害節足動物駆除効力が十分に発揮されているとは必ずしも言えず、より効率の良い施用方法が求められている。
【０００４】
【課題を解決するための手段】
本発明者らは、かかる状況下に鋭意検討を重ねた結果、１−メチル−２−ニトロ−３−［（３−テトラヒドロフリル）メチル］グアニジン、Ｎ−［（クロロ−３−ピリジルメチル）−Ｎ−エチル−Ｎ*−メチル−２−ニトロビニリデンジアミン及び３−［（２−クロロ−５−チアゾリル）メチル］−５−メチル−４−ニトロイミノテトラヒドロ−１，３，５−オキサジアジンからなる群より選ばれる１種以上の殺虫活性成分と水とを含有する薬液を、超音波発振器により揮散させることにより、有害節足動物に対して、殊に優れた駆除効果を発揮し得ることを見い出し、本発明に至った。
すなわち本発明は、１−メチル−２−ニトロ−３−［（３−テトラヒドロフリル）メチル］グアニジン、Ｎ−［（クロロ−３−ピリジルメチル）−Ｎ−エチル−Ｎ*−メチル−２−ニトロビニリデンジアミン及び３−［（２−クロロ−５−チアゾリル）メチル］−５−メチル−４−ニトロイミノテトラヒドロ−１，３，５−オキサジアジンからなる群より選ばれる１種以上の殺虫活性成分と水とを含有する薬液（以下、本組成物と記す）を、超音波発振器により揮散させる有害節足動物駆除方法（以下、本発明方法と記す。）を提供する。
【０００５】
【発明の実施の形態】
本発明方法においては、１−メチル−２−ニトロ−３−［（３−テトラヒドロフリル）メチル］グアニジン、Ｎ−［（クロロ−３−ピリジルメチル）−Ｎ−エチル−Ｎ*−メチル−２−ニトロビニリデンジアミン及び３−［（２−クロロ−５−チアゾリル）メチル］−５−メチル−４−ニトロイミノテトラヒドロ−１，３，５−オキサジアジンからなる群より選ばれる１種以上の殺虫活性成分（以下、本殺虫成分と記す）が用いられ、有害節足動物駆除効力の点から、１−メチル−２−ニトロ−３−［（３−テトラヒドロフリル）メチル］グアニジンの使用が特に好ましい。本組成物中の本殺虫成分の含有量は通常、０．０１〜５重量％の割合であり、水の含有量は通常７０〜９９重量％の割合である。
【０００６】
本組成物は、本殺虫成分と水以外に、更に、メタノール、エタノール、プロパノール、ベンジルアルコール等のアルコール類、エチレングリコール、ジエチレングリコール、プロピレングリコール等のグリコール類、ジエチレングリコールモノメチルエーテル、ジエチレングリコールモノエチルエーテル等のグリコールエーテル類、炭酸プロピレン等を５〜２０重量％の割合で含有していてもよい。
また、本組成物には、ジクロルボス等の有機燐系化合物、メトキサジアゾン等のカーバメート系化合物等の他の殺虫活性成分、安息香酸ナトリウム、安息香酸アンモニウム等の安定化剤、Ｐｒｏｘｅｌ  ＧＸＬ（ＩＣＩ社製防黴剤）等の防黴剤等を適宜添加することも可能である。
【０００７】
本発明方法において用いられる超音波発振器は、その機構が特に限定されるものではなく、いずれのタイプの超音波発振器であっても使用することができる。かかる超音波発振器としては、例えば、家庭用加湿器等に利用されている圧電素子の超音波振動を利用するもの等があげられる。
【０００８】
本発明方法により駆除可能な有害節足動物としては、例えば、ハエ類、カ類、ゴキブリ類、塵性ダニ類等の衛生害虫、シロアリ類、キクイムシ類等の木材害虫、ユスリカ等の不快害虫、ノミ類、マダニ類、シラミ類等の動物害虫、アブラムシ類、カメムシ類、ウンカ類等の農業害虫があげられる。
【０００９】
本発明方法は、主に室内あるいはビニールハウス内等で行われ、１回の施用当たり、本殺虫成分が１ｍ3当たり、０．０１ｍｇ〜１００ｍｇとなるように本組成物は施用される。
【００１０】
【実施例】
以下、試験例、比較試験例にて本発明をより詳細に説明する。
【００１１】
試験例１（超音波発振装置効力試験）
１−メチル−２−ニトロ−３−［（３−テトラヒドロフリル）メチル］グアニジン  ０．５重量％（以下、本組成物１と記す）または１重量％（以下、本組成物２と記す）の水溶液を、家庭用加湿器（（株）富士通ゼネラル製、超音波発振による揮散方式、型：ＡＨ−４ＲＡ）のボトル内に入れた。５．８ｍ3の試験室の床中央に、この加湿器を設置し、試験室の２隅に各々チャバネゴキブリ成虫１０頭（雄５頭、雌５頭）、クロゴキブリ成虫６頭（雄３頭、雌３頭）、ワモンゴキブリ成虫６頭（雄３頭、雌３頭）の入ったプラスチック容器を設置した。通電稼働より、以後、所定経過時間毎に容器内のノックダウン（仰転）したゴキブリの数を数え、Ｂｌｉｓｓのプロビット法によりＫＴ50（５０％の供試ゴキブリがノックダウンするのに要する時間）を求めた。加湿器からの薬液の放出量は１４．６ｇとなるように調整した（有効成分量として、本組成物１では１２．５ｍｇ／ｍ3、本組成物２では２５ｍｇ／ｍ3に相当）。全供試虫は２時間薬剤に曝露させた後、清潔なプラスチック容器内に移し、餌と水を与え、２４時間後に致死を観察した。結果を表１に示す。
【００１２】
【表１】
0004288759.tif 000002
【００１３】
比較製剤例１（燻煙剤）
オレイン酸エチル７重量％、酸化亜鉛０．５重量％およびα−澱粉２重量％にアゾジカルボンアミドを混合して全体を１００重量％とし、水を加えて混練、押出機で顆粒状に成形し、乾燥した。この顆粒２ｇに対して、１−メチル−２−ニトロ−３−［（３−テトラヒドロフリル）メチル］グアニジン  ０．１４５ｇを含有したアセトン溶液を均一に処理し乾燥した。この顆粒２ｇと酸化マグネシウム５０ｇとをアルミ製隔壁で区分された容器内に各々収容し燻煙剤（以下、比較製剤１と記す）を得た。
【００１４】
比較試験例１（燻煙剤効力試験）
試験例１と同様の５．８ｍ3の試験室の２隅に各々チャバネゴキブリ成虫１０頭（雄５頭、雌５頭）、クロゴキブリ成虫６頭（雄３頭、雌３頭）、ワモンゴキブリ成虫６頭（雄３頭、雌３頭）の入ったプラスチック容器を設置した。比較製剤１を一定量の水を入れたプラスチック製容器内に入れ、発熱揮散させた（有効成分として２５ｍｇ／ｍ3に相当）。以後、所定経過時間毎に容器内のノックダウン（仰転）したゴキブリの数を数え、Ｂｌｉｓｓのプロビット法によりＫＴ50（５０％の供試ゴキブリがノックダウンするのに要する時間）を求めた。全供試虫は２時間薬剤に曝露させた後、清潔なプラスチック容器内に移し、餌と水を与え、２４時間後に致死を観察した。結果を表２に示す。
【００１５】
【表２】
0004288759.tif 000003
【００１６】
【発明の効果】
本発明の有害節足動物駆除方法によれば、本殺虫成分の有害節足動物駆除効力が十分に発揮され、従来の施用法より低薬量の施用でも、種々の有害節足動物に対して優れた駆除効果を示す。